(57)【要約】【課題】適量の薬液を的確に眼球の薬液投与部に射出し、使用者が簡易に扱える点眼装置を提供する。【解決手段】薬液が収容された容器が配置される配置部、前記薬液を水平方向に射出する射出機構、駆動信号を前記射出機構に出力する制御部と、前記配置部、前記射出機構及び前記制御部を内部に収容する筐体とを具備する点眼装置であって、前記筐体は、前記制御部を操作するための操作スイッチと、被検体の眼窩口縁に沿って密接させるための筒状の先端縁部と、当該筒状の先端縁部の中央に形成された薬液射出口とを有する筒状部とを備え、前記筒状部の先端縁部が、目を開いた前記被検体の眼窩口縁に沿って密接されるとき、前記筒状部の先端縁部が前記被検体の上瞼並びに下瞼を押さえ目が閉じられるのを抑制し、前記薬液射出口が、眼球の薬液投与部に正対するように位置することを特徴とする点眼装置【選択図】  図１
2018196534.tif 000002
【特許請求の範囲】
【請求項１】
薬液が収容された容器が配置される配置部と、
前記容器と連結され前記容器内の前記薬液を水平方向に射出する射出機構と、
前記射出機構を駆動させる駆動信号を前記射出機構に出力する制御部と、
前記配置部、前記射出機構及び前記制御部を内部に収容する筐体とを具備する点眼装置であって、
前記筐体は、前記制御部を操作するための操作スイッチと、
被検体の眼窩口縁に沿って密接させるための筒状の先端縁部と、当該筒状の先端縁部の中央に形成された薬液射出口とを有する筒状部とを備え、
前記筒状部の先端縁部が、目を開いた前記被検体の眼窩口縁に沿って密接されるとき、前記筒状部の先端縁部が前記被検体の上瞼並びに下瞼を押さえ目が閉じられるのを抑制し、前記薬液射出口が、眼球の薬液投与部に正対するように位置することを特徴とする点眼装置。
【請求項２】
前記射出機構は、圧電マイクロポンプであることを特徴とする請求項１に記載の点眼装置。
【請求項３】
前記駆動信号は、パルス信号であり、
前記操作スイッチの操作により、パルス幅及び／又はパルス間隔が調整されたパルス信号が前記制御部から出力されることを特徴とする請求項２に記載の点眼装置。
【請求項４】
前記容器から前記射出機構に薬液を供給するための薬液供給管を備え、前記薬液供給管が前記容器及び前記射出機構と独立して取付け取外し可能であること特徴とする請求項１乃至３のいずれか１項に記載の点眼装置。
【請求項５】
前記薬液射出口を開閉する抗菌性シャッターが設置されていることを特徴とする請求項１乃至４のいずれか１項に記載の点眼装置。
【請求項６】
前記薬液射出口で脱着可能なキャップを有し、前記キャップは抗菌剤を含有した保湿用キャップであることを特徴とする、請求項１乃至５のいずれか１項に記載の点眼装置。
【請求項７】
前記被検体が動物であり、前記筒状部の先端縁部が前記動物の眼窩口縁に沿って密接されるよう構成されていることを特徴とする、請求項１乃至６のいずれか１項に記載の点眼装置。
【発明の詳細な説明】
【技術分野】
【０００１】
本発明は、眼に液体を投与するための点眼装置に関する。
【背景技術】
【０００２】
多くの眼科の医学症状は、薬液を眼に投与することにより効果的に処置することができる。このような薬液の例としては、緑内障処置用のβ遮断薬、又はプロスタグランジン製剤、角膜感染処置用の抗生物質、眼球乾燥症（ドライアイ）処置用の人工涙液がある。眼に薬液を投与することで所望の治療効果を得るためには、薬液を定期的かつ規則的に投与することが必要である。
【０００３】
眼科領域において使用される治療薬の多くは液状の薬液である。よって従来の点眼は、薬液の入った容器の先端に設けられたノズルから眼球表面に向けて薬液を滴下する方法が用いられる。しかし当該方法は、顔を上に向けて滴下することに伴う操作の煩雑性によって、患者が点眼を怠るという問題点を有する。また、当該方法は薬液の容器に圧力をかけて、該圧力によって容器から薬液を押し出し滴下し投与することから、毎回同じ量で薬液を投与できないという問題点を有する。さらに、患者毎に容器にかける圧力の加減が異なるため、決められた量の薬液を投与することは難しく、市販されている容器入りの薬液では１滴あたり約３０〜５０μｌと投与量に差が出るという問題点も有する。このように眼科領域の薬液投与においては、経口投与のように患者毎に毎回同じ量の薬液を投与することは困難であった。
【０００４】
さらに、例えば緑内障の薬液は高価であるが、約２０μｌの滴下においても効果があるところ、上述のように従来の薬液の滴下による投与方法では過剰量の薬液が投与されるという問題点があった。また過剰投与された薬液は眼球表面に保持されることなく鼻涙管を通って体内に吸収されて不適切な生理現象を引き起こしたり、眼から溢れ出た薬液は身体の不具合を引き起こす。例えば、プロスタグランジン製剤を使用する場合、眼から溢れ出た薬液によって眼の周辺に黒い色素沈着が起こるなどの問題点があった。
【０００５】
また瞼を有する生物は、眼瞼反射と呼ばれる反応によって眼の近くに物体が急に近づくと反射的に瞼を閉じる習性を持つ。該眼瞼反射によって、眼球に滴下投与された薬液に反応し瞼を閉じてしまうため、的確に薬液を眼球に投与できないという問題点があった。
【０００６】
そこで、上述の薬液の滴下投与する方法の問題を解決するために、装置を用いて薬液の投与を制御する方法がある。
【０００７】
例えば、特許文献１には点眼薬を眼球に投与するための装置として、患者自身が簡便に使用できる小型の装置が開示されている。しかしながら、特許文献１には供給ノズルを有する液体用容器、投与チャンバ及び液体放出に関する機構について開示されているが、作動機構から放出される液量を使用毎に制御し調整することは教示されていない。
【０００８】
一方、特許文献２及び特許文献３には、フレーム部分に薬液投与部を備えた眼鏡型の装置が開示されている。特許文献２には、瞼の開閉を検知するセンサーが開示されているが、眼鏡型であるため使用者毎に装置の調整が必要である。一方特許文献３に記載された発明は、眼が投与位置にあるか検出する眼位置合わせデバイスを備えているが、コントローラやコンピューティング装置など多様で大掛かりな装置を必要とし、簡易に使用できるものではない。
【０００９】
また、特許文献４には、眼薬噴霧供給装置が開示されている。該眼薬噴霧供給装置は超音波メッシュ式霧化機構によって極微小量の眼薬を投与し、眼球表面に沈着させるというものである。特許文献５にもミスト又はスプレーの形態で流体を投与する噴霧装置が開示されている。これらの装置は極微小量の眼薬を投与できるが、眼薬が霧化しているため眼球表面に投与されるだけでなく、眼の周辺の皮膚に付着する可能性がある。
【先行技術文献】
【特許文献】
【００１０】
【特許文献１】特開２００６−３０５３４７号公報
【特許文献２】特許第４００６２８０号
【特許文献３】特開２００５−２１７０１号公報
【特許文献４】特許第５１４５５１４号
【特許文献５】特許第５９６０８４０号
【発明の概要】
【発明が解決しようとする課題】
【００１１】
上述するように、従来の点眼装置では、薬液の射出に関する設計や使用者が使いやすい構造に関する設計について、未だ課題が残っている。したがって、使用者にとって使いやすく、的確に薬液を射出する点眼装置が求められている。
【００１２】
そこで、本発明の点眼装置は上記した問題点を解決すべくなされたものであり、適量の薬液を的確に眼球の薬液投与部に射出し、簡易に扱える点眼装置を提供する。
【課題を解決するための手段】
【００１３】
請求項１に係る発明は、
薬液が収容された容器が配置される配置部と、
前記容器と連結され前記容器内の前記薬液を水平方向に射出する射出機構と、
前記射出機構を駆動させる駆動信号を前記射出機構に出力する制御部と、
前記配置部、前記射出機構及び前記制御部を内部に収容する筐体とを具備する点眼装置であって、
前記筐体は、前記制御部を操作するための操作スイッチと、
被検体の眼窩口縁に沿って密接させるための筒状の先端縁部と、当該筒状の先端縁部の中央に形成された薬液射出口とを有する筒状部とを備え、
前記筒状部の先端縁部が、目を開いた前記被検体の眼窩口縁に沿って密接されるとき、前記筒状部の先端縁部が前記被検体の上瞼並びに下瞼を押さえ目が閉じられるのを抑制し、前記薬液射出口が、眼球の薬液投与部（例えば、眼の中央部）に正対するように位置することを特徴とする点眼装置に関する。
【００１４】
請求項２に係る発明は、
前記射出機構は、圧電マイクロポンプであることを特徴とする請求項１に記載の点眼装置に関する。
【００１５】
請求項３に係る発明は、
前記駆動信号は、パルス信号であり、
前記操作スイッチの操作により、パルス幅及び／又はパルス間隔が調整されたパルス信号が前記制御部から出力されることを特徴とする請求項２に記載の点眼装置に関する。
【００１６】
請求項４に係る発明は、
前記容器から前記射出機構に薬液を供給するための薬液供給管を備え、前記薬液供給管が前記容器及び前記射出機構と独立して取付け取外し可能であること特徴とする請求項１乃至３のいずれか１項に記載の点眼装置に関する。
【００１７】
請求項５に係る発明は、
前記薬液射出口を開閉する抗菌性シャッターが設置されていることを特徴とする請求項１乃至４のいずれか１項に記載の点眼装置に関する。
【００１８】
請求項６に係る発明は、
前記薬液射出口で脱着可能なキャップを有し、前記キャップは抗菌剤を含有した保湿用キャップであることを特徴とする、請求項１乃至５のいずれか１項に記載の点眼装置に関する。
【００１９】
請求項７に係る発明は、
前記被検体が動物であり、前記筒状部の先端縁部が前記動物の眼窩口縁に沿って密接されるよう構成されていることを特徴とする、請求項１乃至６のいずれか１項に記載の点眼装置に関する。
【発明の効果】
【００２０】
薬液を水平方向に射出する射出機構、前記射出機構を駆動させる駆動信号を前記射出機構に出力する制御部、筒状部の先端縁部が被検体の上瞼並びに下瞼を押さえ目が閉じられるのを抑制し、薬液射出口が、眼球の薬液投与部に正対するように位置することを特徴とする点眼装置は、被検体である使用者が薬液を眼球に投与する際に上を向く必要がなく、眼球の投与部分に薬液を的確に投与することができる。
また、パルス幅やパルス間隔が調整されたパルス信号が出力される点眼装置によれば、多様で大掛かりな装置を備えることなく、治療のための薬液を適量（常に設定量）投与することができるため、使用者は、簡易に本発明の点眼装置を扱うことができる。
さらに、薬液供給管が取付け取外し可能となったり、抗菌性を有するキャップやシャッターを備えたりする点眼装置によれば、細菌に汚染されることを防止することができ、無菌性を担保することができる。
【図面の簡単な説明】
【００２１】
【図１】本発明の実施形態に係る点眼装置の一例を示す縦断面図である。
【図２】点眼装置の使用状態の一例を示す斜視図である。
【図３】圧電マイクロポンプとノズルと抗菌性シャッターとディスポーサブルチューブと点眼ボトルとの関係を示す断面図である。
【図４】点眼装置の先端縁部の一例と保湿キャップを示す図である。
【図５】駆動回路から圧電素子に出力されるパルス信号を示す図である。
【発明を実施するための形態】
【００２２】
以下に、本発明の実施形態について図面に基づいて説明する。
【００２３】
＜第一実施形態＞
図１は、本発明の実施形態に係る点眼装置の一例を示す縦断面図であり、図２は、点眼装置の使用状態の一例を示す斜視図である。なお、Ｘ方向を前方方向とし、Ｙ方向を左右方向とし、Ｚ方向を鉛直方向とする。
【００２４】
点眼装置（１００）は、側面視で略Ｔ字形状の筐体（１０）を具備する。そして、詳細は後述するが、筐体（１０）内の所定位置には、点眼ボトル（容器）（２１）が配置される配置部（２０）と、ポンプユニット（射出機構）（３０）と、駆動回路（制御部）（４１）と、制御回路（制御部）（４２）と、駆動回路（４１）及び制御回路（４２）に電力を供給するボタン電池（電源）（５０）とが配置されている。なお、本実施形態では点眼ボトル（２１）には、市販されているものが用いられることができ、例えばβ遮断薬、プロスタグランジン製剤等の薬液が収容されたもの等が用いられる。
【００２５】
＜筐体（１０）の形状（外部構成）＞
筐体（１０）は、Ｘ方向に中心軸を有する円筒状水平部（１１）と、円筒状水平部（１１）の中央部から下方（Ｚ方向）に延出された円筒状垂直部（１２）とを備える。円筒状垂直部（１２）は、図２に示すように片手で把持されるようになっており、その外周の所定位置に、制御回路（４２）等に入力信号を出力するために指で操作される操作スイッチ（１２ａ）が形成されている。
【００２６】
円筒状水平部（１１）は、円環形状の先端フレーム（先端縁部）（１３ａ）を有する前側部（筒状部）（１３）と、後側部（１４）とを備える。円環形状の先端フレーム（１３ａ）は、ヒトの目の大きさより少し大きくなり、かつ、ゴム等で形成されており、ヒトによってヒトの眼窩口縁に沿って押し当てられることで密接され、薬液射出口（３１）がヒトの眼球の薬液投与部に正対する位置に来るように構成されている。
【００２７】
そして、図４に示すように円環形状の先端フレーム（１３ａ）に円形状の保湿用キャップ（１３ｂ）が、ヒトによって脱着可能となっている。保湿用キャップ（１３ｂ）の材質としては、ポリウレタン、ゴム等が挙げられ、ベンザルコニウム塩化物等の抗菌剤が含有されていることが好ましい。
【００２８】
このような筐体（１０）の形状により、使用者は先端フレーム（１３ａ）から保湿用キャップ（１３ｂ）を取り外した後、円筒状垂直部（１２）を片手で把持して、前方向（Ｘ方向）を向いた状態で先端フレーム（１３ａ）を眼窩口縁に密接させる。このとき、使用者が目を開いた状態で先端フレーム（１３ａ）を眼窩口縁に密接させると、上瞼と下瞼とが先端フレーム（１３ａ）で押さえられ、目が閉じられるのを抑制することができる。
【００２９】
＜筐体１０の内部構成＞
配置部（２０）は、後側部（１４）内に形成されており、後側部（１４）の後端部には円形状の蓋体（１４ａ）が取付け取外し可能となっている。これにより、蓋体（１４ａ）を取り外して、配置部（２０）に点眼ボトル（２１）が配置されるようになっている。
【００３０】
ポンプユニット（３０）は、圧電マイクロポンプ（３０ａ）とノズル（３０ｂ）とを備え、前側部（１３）内に設置されている。
圧電マイクロポンプ（３０ａ）としては、例えば株式会社菊池製作所製の圧電式ダイヤフラム式のメタルマイクロポンプ等が挙げられる。圧電マイクロポンプ（３０ａ）は、例えば、１０ｍｍ×１１ｍｍ×２．７ｍｍの直方体のケースを有し、ケースには外径１．２ｍｍ、内径０．７ｍｍの吐出口（３１ａ）と吸入口（３１ｂ）とが形成されている。そして、圧電マイクロポンプ（３０ａ）のケース内には、駆動回路（４１）とケーブル（４３）を介して接続された圧電素子（例えばチタン酸ジルコン酸鉛等）と、吐出口（３１ａ）及び吸入口（３１ｂ）と連結された液室とを備える。
ノズル（３０ｂ）は、中心軸がＸ方向（水平方向）になるように配置され、中央部に貫通孔（流路）が形成されている。ノズル（３０ｂ）の形状としては、四角柱、円柱、略四角柱、略円錐等が挙げられる。貫通孔の入口（３１ｃ）が圧電マイクロポンプ（３０ａ）の吐出口（３１ａ）と連結され、貫通孔の出口が薬液射出口（３１）となる。薬液射出口（３１）は、円環形状の先端フレーム（１３ａ）の中央に位置するように配置されている。上記貫通孔の長さは、眼球の投与部分に薬液を的確に投与する観点から１．０ｍｍ以上３．０ｍｍ以下であり、上記薬液射出口の直径は、眼球の投与部分に薬液を的確に投与する観点から０．１ｍｍ以上０．３ｍｍ以下であることが好ましい。
【００３１】
一方、圧電マイクロポンプ（３０ａ）の吸入口（３１ｂ）には、円管状のディスポーサブルチューブ（薬液供給管）（２２）の先端部が取付け取外し可能に配置されるとともに、ディスポーサブルチューブ（２２）の末端部が点眼ボトル（２１）内に配置されている。図３は、圧電マイクロポンプ（３０ａ）とノズル（３０ｂ）とディスポーサブルチューブ（２２）と点眼ボトル（２１）との関係を示す断面図である。上記ディスポーサブルチューブ（２２）の直径は、１．０ｍｍ以上２．０ｍｍ以下であることが好ましい。しかし圧電マイクロポンプ（３０ａ）の吸入口（３１ｂ）は、上記ディスポーサブルチューブ（２２）を用いることなく直接点眼ボトル（２１）と接続してもよい。
【００３２】
そして、図３に示すように円形状の薬液射出口（３１）の前方に円形状の抗菌性シャッター（３２）が設置されている。これにより、抗菌性シャッター（３２）が開けられると薬液射出口（３１）が解放され、一方、抗菌性シャッター（３２）が閉じられると薬液射出口（３１）が封鎖されようになっている。上記抗菌性シャッターは、図示しないが駆動機構によって開閉が行われ得る。上記抗菌性シャッター（３２）の材質としては、ポリウレタン、ゴム等が挙げられ、ベンザルコニウム塩化物等の抗菌剤が含有されていることが好ましい。
【００３３】
このようなポンプユニット（３０）によれば、駆動回路（４１）から圧電素子に駆動信号が出力されると、抗菌性シャッター（３２）が開かれるとともに圧電素子が作動して、点眼ボトル（２１）内の薬液がディスポーサブルチューブ（２２）内に吸い上げられ、そして、薬液が薬液射出口（３１）から−Ｘ方向（水平方向）に射出される。
【００３４】
制御回路（４２）は、円筒状垂直部（１２）内に設置されており、使用者による操作スイッチ（１２ａ）での入力操作に基づいて、制御信号を駆動回路（４１）に出力する。例えば、使用者が操作スイッチ（１２ａ）を押圧すると、制御回路（４２）は、操作スイッチ（１２ａ）が押圧されたことを示す制御信号を駆動回路（４１）に出力する。また、複数の操作スイッチ（１２ａ）を形成しておき、制御回路（４２）が、どの操作スイッチ（１２ａ）が押圧されたかを示す制御信号を駆動回路（４１）に出力するようにしてもよい。これにより、例えば、「子供」の眼に薬液を投与するための第一の操作スイッチ（１２ａ）が押圧されると、第一のパルス幅Ａを有する１個のパルスからなるパルス信号を出力させるための制御信号を駆動回路（４１）に出力する。一方、「成人」の眼に薬液を投与するための第二の操作スイッチ（１２ａ）が押圧されると、第二のパルス幅Ｂを有する１個のパルスからなるパルス信号を出力させるための制御信号を駆動回路（４１）に出力する。つまり、投与する対象「子供」「成人」によって異なるパルス幅Ａ、Ｂを有するパルスからなるパルス信号を出力させるための制御信号を駆動回路（４１）に出力することができる。
【００３５】
駆動回路（４１）は、プログラマブルパルス発生器やパルス増幅器等を有するものであり、円筒状垂直部（１２）内に設置されており、制御回路（４２）から入力された制御信号に基づいて、駆動信号として予め設定されたパルス幅を有する設定数のパルスからなるパルス信号をポンプユニット（３０）の圧電素子に出力する。例えば、第一のパルス幅Ａを有する１個のパルスからなるパルス信号を出力させるための制御信号が入力されると、第一のパルス幅Ａを有する１個のパルスからなるパルス信号をポンプユニット（３０）の圧電素子に出力する。このとき、操作スイッチ（１２ａ）が押圧された状態が維持されていても、１回の押圧では、第一のパルス幅Ａを有する１個のパルスしか出力しない。
一方、第二のパルス幅Ｂを有する１個のパルスからなるパルス信号を出力させるための制御信号が入力されると、第二のパルス幅Ｂを有する１個のパルスからなるパルス信号をポンプユニット（３０）の圧電素子に出力する。このときにも、操作スイッチ（１２ａ）が押圧された状態が維持されていても、１回の押圧では、第二のパルス幅Ｂを有する１個のパルスしか出力しない。
【００３６】
図５は、駆動回路から圧電素子に出力されるパルス信号を示す図である。このように第一のパルス幅Ａを有する１個のパルスからなるパルス信号をポンプユニット（３０）の圧電素子に出力するため、その第一のパルス幅Ａを有する１個のパルスに対応する所定量Ａ’だけ圧電素子を変形させることで、所定量Ａ’に対応する設定量Ａ’’の薬液を薬液射出口（３１）から瞬間的に射出させることができる。また、第二のパルス幅Ｂを有する１個のパルスからなるパルス信号を出力したときには、所定量Ｂ’だけ圧電素子は変形して、設定量Ｂ’’の薬液を射出させる。
【００３７】
以上のように、実施形態に係る点眼装置（１００）によれば、被検体である使用者が薬液を眼球に投与する際に上を向く必要がなく、眼球の投与部分に薬液を的確に投与することができる。
また、パルス幅Ａ、Ｂが調整されたパルス信号が出力される点眼装置（１００）によれば、多様で大掛かりな装置を備えることなく、治療のための薬液を適量（常に設定量）Ａ’’、Ｂ’’投与することができため、使用者は、簡易に本発明の点眼装置（１００）を扱うことができる。
さらに、ディスポーサブルチューブ（２２）が取付け取外し可能となったり、保湿用キャップ（１３ｂ）や抗菌性シャッター（３２）を備えたりする点眼装置（１００）によれば、薬液が細菌に汚染されることを防止することができ、無菌性を担保することができる。
【００３８】
＜第二実施形態＞
上述した点眼装置（１００）では、制御回路（４２）は、１個のパルスからなるパルス信号を出力させるための制御信号を駆動回路（４１）に出力する構成としたが、設定数として２個等のパルスからなるパルス信号を出力させるための制御信号を駆動回路に出力するような構成としてもよい。
【００３９】
＜第三実施形態＞
上述した点眼装置（１００）では、使用者は、円筒状垂直部（１２）を片手で把持して、前方向（Ｘ方向）を向いた状態で先端フレーム（１３ａ）を眼窩口縁に密接させる構成としたが、円筒状垂直部（１２）を片手で把持して、先端フレーム（１３ａ）を動物の眼窩口縁に密接させるような構成としてもよい。
【００４０】
＜第四実施形態＞
上述した点眼装置（１００）では、先端フレーム（１３ａ）はさらに、上半分と下半分２つのフレーム部分に分割されており、瞼を閉じた状態で眼窩口縁に密接された際に、該２つのフレームがそれぞれ分かれて、上方向と下方向に独立して動くことで、強制的に瞼を開かせるような構成としてもよい。
【産業上の利用可能性】
【００４１】
本発明に係る点眼装置は、眼に液体を投与するための点眼装置等として有用である。
【符号の説明】
【００４２】
１０    筐体
１１    円筒状水平部
１２    円筒状垂直部
１２ａ  操作スイッチ
１３    前側部（筒状部）
１３ａ  円環形状の先端フレーム（先端縁部）
１３ｂ  保湿用キャップ
１４    後側部（筒状部）
１４ａ  蓋体
２０    配置部
２１    点眼ボトル
２２    ディスポーサブルチューブ（薬液供給管）
３０    ポンプユニット（射出機構）
３０ａ  圧電マイクロポンプ
３０ｂ  ノズル
３１    薬液射出口
３１ａ  吐出口
３１ｂ  吸入口
３１ｃ  貫通孔の入口
３２    抗菌性シャッター
４１    駆動回路（制御部）
４２    制御回路（制御部）
４３    ケーブル
５０    電源
１００  点眼装置
【図１】
2018196534.tif 000003
【図２】
2018196534.tif 000004
【図３】
2018196534.tif 000005
【図４】
2018196534.tif 000006
【図５】
2018196534.tif 000007
【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
薬液が収容された容器が配置される配置部と、
前記容器と連結され前記容器内の前記薬液を水平方向に射出する射出機構と、
前記射出機構を駆動させる駆動信号を前記射出機構に出力する制御部と、
前記配置部、前記射出機構及び前記制御部を内部に収容する筐体とを具備する点眼装置であって、
前記筐体は、前記制御部を操作するための操作スイッチと、
被検体の眼窩口縁に沿って密接させるための筒状の先端縁部と、当該筒状の先端縁部の中央に形成された薬液射出口とを有する筒状部とを備え、
前記筒状部の先端縁部が、目を開いた前記被検体の眼窩口縁に沿って密接されるとき、前記筒状部の先端縁部が前記被検体の上瞼並びに下瞼を押さえ目が閉じられるのを抑制し、前記薬液射出口が、眼球の薬液投与部に正対するように位置し、
前記駆動信号は、パルス信号であり、
前記操作スイッチの操作により、パルス幅及び／又はパルス間隔が調整されたパルス信号が前記制御部から出力され、
前記射出機構は、パルス幅及び／又はパルス間隔の調整によって単回駆動で必要最低量を瞬間的に射出できる圧電マイクロポンプであり、
治療のための薬液を常に設定量投与することができることを特徴とする点眼装置。
【請求項２】
前記操作スイッチは複数設けられ、夫々の前記操作スイッチの操作によって、異なるパルス幅を有するパルス信号を出力することを特徴とする請求項１に記載の点眼装置。
【請求項３】
前記容器から前記射出機構に薬液を供給するための薬液供給管を備え、前記薬液供給管が前記容器及び前記射出機構と独立して取付け取外し可能であること特徴とする請求項１または３に記載の点眼装置。
【請求項４】
前記薬液射出口を開閉する抗菌性シャッターが設置されていることを特徴とする請求項１乃至３のいずれか１項に記載の点眼装置。
【請求項５】
前記薬液射出口で脱着可能なキャップを有し、前記キャップは抗菌剤を含有した保湿用キャップであることを特徴とする、請求項１乃至４のいずれか１項に記載の点眼装置。
【請求項６】
前記被検体が動物であることを特徴とする、請求項１乃至５のいずれか１項に記載の点眼装置。
【手続補正２】
【補正対象書類名】明細書
【補正対象項目名】００１３
【補正方法】変更
【補正の内容】
【００１３】
請求項１に係る発明は、
薬液が収容された容器が配置される配置部と、
前記容器と連結され前記容器内の前記薬液を水平方向に射出する射出機構と、
前記射出機構を駆動させる駆動信号を前記射出機構に出力する制御部と、
前記配置部、前記射出機構及び前記制御部を内部に収容する筐体とを具備する点眼装置であって、
前記筐体は、前記制御部を操作するための操作スイッチと、
被検体の眼窩口縁に沿って密接させるための筒状の先端縁部と、当該筒状の先端縁部の中央に形成された薬液射出口とを有する筒状部とを備え、
前記筒状部の先端縁部が、目を開いた前記被検体の眼窩口縁に沿って密接されるとき、前記筒状部の先端縁部が前記被検体の上瞼並びに下瞼を押さえ目が閉じられるのを抑制し、前記薬液射出口が、眼球の薬液投与部に正対するように位置し、
前記駆動信号は、パルス信号であり、          
前記操作スイッチの操作により、パルス幅及び／又はパルス間隔が調整されたパルス信号が前記制御部から出力され、
前記射出機構は、パルス幅及び／又はパルス間隔の調整によって単回駆動で必要最低量を瞬間的に射出できる圧電マイクロポンプであり、
治療のための薬液を常に設定量投与することができることを特徴とする点眼装置。
に関する。
【手続補正３】
【補正対象書類名】明細書
【補正対象項目名】００１４
【補正方法】変更
【補正の内容】
【００１４】
請求項２に係る発明は、
前記射出機構は、前記操作スイッチは複数設けられ、夫々の前記操作スイッチの操作によって、異なるパルス幅を有するパルス信号を出力することを特徴とする請求項１に記載の点眼装置に関する。
【手続補正４】
【補正対象書類名】明細書
【補正対象項目名】００１５
【補正方法】変更
【補正の内容】
【００１５】
請求項３に係る発明は、
前記容器から前記射出機構に薬液を供給するための薬液供給管を備え、前記薬液供給管が前記容器及び前記射出機構と独立して取付け取外し可能であること特徴とする請求項１または３に記載の点眼装置に関する。
【手続補正５】
【補正対象書類名】明細書
【補正対象項目名】００１６
【補正方法】変更
【補正の内容】
【００１６】
請求項４に係る発明は、
前記薬液射出口を開閉する抗菌性シャッターが設置されていることを特徴とする請求項１乃至３のいずれか１項に記載の点眼装置に関する。
【手続補正６】
【補正対象書類名】明細書
【補正対象項目名】００１７
【補正方法】変更
【補正の内容】
【００１７】
請求項５に係る発明は、
前記薬液射出口で脱着可能なキャップを有し、前記キャップは抗菌剤を含有した保湿用キャップであることを特徴とする、請求項１乃至４のいずれか１項に記載の点眼装置に関する。
【手続補正７】
【補正対象書類名】明細書
【補正対象項目名】００１８
【補正方法】変更
【補正の内容】
【００１８】
請求項６に係る発明は、
前記被検体が動物であることを特徴とする、請求項１乃至５のいずれか１項に記載の点眼装置に関する。
【手続補正８】
【補正対象書類名】明細書
【補正対象項目名】００１９
【補正方法】削除
【補正の内容】
【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
薬液が収容された容器が配置される配置部と、
前記容器と連結され前記容器内の前記薬液を水平方向に射出する射出機構と、
前記射出機構を駆動させる駆動信号を前記射出機構に出力する制御部と、
前記配置部、前記射出機構及び前記制御部を内部に収容する筐体とを具備する点眼装置であって、
前記筐体は、前記制御部を操作するための操作スイッチと、
被検体の眼窩口縁に沿って密接させるための筒状の先端縁部を有する筒状部と、
前記筒状の先端縁部の中央に貫通孔と薬液射出口を有するノズルとを備え、
前記筒状部の先端縁部が、目を開いた前記被検体の眼窩口縁に沿って密接されるとき、前記筒状部の先端縁部が前記被検体の上瞼並びに下瞼を押さえ目が閉じられるのを抑制し、前記薬液射出口が、眼球の薬液投与部に正対するように位置し、
前記駆動信号は、パルス信号であり、
前記操作スイッチの操作により、パルス幅及び／又はパルス間隔が調整されたパルス信号が前記制御部から出力され、
前記射出機構は、パルス幅及び／又はパルス間隔の調整によって単回駆動で必要最低量を瞬間的に射出できる圧電マイクロポンプであり、
前記ノズルは、前記圧電マイクロポンプの吐出口に連結され、
前記貫通孔の長さは１．０ｍｍ〜３．０ｍｍであり、
前記薬液射出口の直径は０．１ｍｍ〜０．３ｍｍであり、
治療のための薬液を常に設定量投与することができることを特徴とする点眼装置。
【請求項２】
前記操作スイッチは複数設けられ、夫々の前記操作スイッチの操作によって、異なるパルス幅を有するパルス信号を出力することを特徴とする請求項１に記載の点眼装置。
【請求項３】
前記容器から前記射出機構に薬液を供給するための薬液供給管を備え、前記薬液供給管が前記容器及び前記射出機構と独立して取付け取外し可能であること特徴とする請求項１または３に記載の点眼装置。
【請求項４】
前記薬液射出口を開閉する抗菌性シャッターが設置されていることを特徴とする請求項１乃至３のいずれか１項に記載の点眼装置。
【請求項５】
前記薬液射出口で脱着可能なキャップを有し、前記キャップは抗菌剤を含有した保湿用キャップであることを特徴とする、請求項１乃至４のいずれか１項に記載の点眼装置。
【請求項６】
前記被検体が動物であることを特徴とする、請求項１乃至５のいずれか１項に記載の点眼装置。
【手続補正２】
【補正対象書類名】明細書
【補正対象項目名】００１３
【補正方法】変更
【補正の内容】
【００１３】
請求項１に係る発明は、
薬液が収容された容器が配置される配置部と、
前記容器と連結され前記容器内の前記薬液を水平方向に射出する射出機構と、
前記射出機構を駆動させる駆動信号を前記射出機構に出力する制御部と、
前記配置部、前記射出機構及び前記制御部を内部に収容する筐体とを具備する点眼装置であって、
前記筐体は、前記制御部を操作するための操作スイッチと、
被検体の眼窩口縁に沿って密接させるための筒状の先端縁部を有する筒状部と、
前記筒状の先端縁部の中央に貫通孔と薬液射出口を有するノズルとを備え、
前記筒状部の先端縁部が、目を開いた前記被検体の眼窩口縁に沿って密接されるとき、前記筒状部の先端縁部が前記被検体の上瞼並びに下瞼を押さえ目が閉じられるのを抑制し、前記薬液射出口が、眼球の薬液投与部に正対するように位置し、
前記駆動信号は、パルス信号であり、
前記操作スイッチの操作により、パルス幅及び／又はパルス間隔が調整されたパルス信号が前記制御部から出力され、
前記射出機構は、パルス幅及び／又はパルス間隔の調整によって単回駆動で必要最低量を瞬間的に射出できる圧電マイクロポンプであり、
前記ノズルは、前記圧電マイクロポンプの吐出口に連結され、
前記貫通孔の長さは１．０ｍｍ〜３．０ｍｍであり、
前記薬液射出口の直径は０．１ｍｍ〜０．３ｍｍであり、
治療のための薬液を常に設定量投与することができることを特徴とする点眼装置に関する。